(57)【要約】【課題】  給水栓の使用感を変えることなく、その排水量を抑制して節水できると共に、排水の勢いをも抑制して、使用者が優しい感触の排水を得られるようにする。【解決手段】  水を排出する蛇口Ｈ等に装着可能な取付カバー１と、この取付カバー１の内部に嵌挿される節水コマ２と、この節水コマ２と蛇口Ｈ等との間に介在されるゴムリング（水密性パッキング）３とを備えた節水コマ構造Ａにおいて、前記節水コマ２の中央適所には、水道管から噴出された水が直接当たる緩衝部４を形成すると共に、この緩衝部４の周囲に、当該緩衝部４に当たって緩衝された緩衝水Ｗが排水される排水孔５を形成してなる。【選択図】  図１
2007162400.tif 000002
【特許請求の範囲】
【請求項１】
水を排出する蛇口等に装着可能な取付カバーと、この取付カバーの内部に嵌挿される節水コマと、この蛇口等から水漏れを防止するための水密用パッキングとを備えた節水コマ構造において、
前記節水コマの中央適所には、水道管から噴出された水が直接当たる塞がれた緩衝部を形成すると共に、この緩衝部の周囲に、当該緩衝部に当たって緩衝された緩衝水が排水される排水孔を形成したことを特徴とする節水コマ構造。
【請求項２】
水密用パッキングがゴムリングである請求項１に記載の節水コマ構造。
【請求項３】
排水孔は、複数形成され、これら複数の排水孔が、緩衝部の外周部に同心円状に形成されている請求項１又は２に記載の節水コマ構造。
【請求項４】
緩衝部は、排水孔の位置よりも水道管側に近い位置に突設されている請求項１ないし３のいずれか１項に記載の節水コマ構造。
【請求項５】
緩衝部は、窪んだ凹部に形成されている請求項１ないし４のいずれか１項に記載の節水コマ構造。
【請求項６】
緩衝部には、凹凸部が形成されている請求項１ないし４のいずれか１項に記載の節水コマ構造。
【発明の詳細な説明】
【技術分野】
【０００１】
本発明は、水が排出される蛇口やシャワーヘッドなどに取り付けて、節水効果が得られるだけでなく、手や身体に対して柔らかな感触で排水可能な節水コマ構造に関する。
【背景技術】
【０００２】
従来より、水の排水量を調節可能な給水栓の使用感を変えることなく、前記排水量を抑制することのできる節水コマが多数知られており、これらの節水コマ構造は、水を排出する蛇口等に装着可能な円筒状の取付カバーの内部に、水の排出される１又は複数の排水孔を形成した円柱状の節水コマを嵌挿したものである（例えば、特許文献１参照。）。
【０００３】
【特許文献１】特開平９−９５９８５号
【発明の開示】
【発明が解決しようとする課題】
【０００４】
このように、従来の節水コマ構造は、前記給水栓の使用感を変えずに、その排水量を抑制して、節水できるという点では好ましいものであるが、その何れもが、水道管を通じて噴出される排水量を、前記節水コマに形成された１又は複数の排水孔によって制限するものであり、換言すれば、排水量の節水を目的としたものに過ぎないものであった。
【０００５】
しかしながら、前記排水孔から噴出される排水は、排水量が少ない反面、その勢いが強いため、使用者の肌に当たった排水が、飛散して周囲を汚損したり、また、乳幼児や女性等のような皮膚の柔らかい使用者にとっては、勢いの強い排水は、皮膚に対する刺激が強すぎるという問題があった。
【０００６】
一方、排水の勢いを抑制するには、前記給水栓を操作すれば良いのであるが、これでは、給水栓の使用感を変えずに、その排水量を抑制して、節水するという本来の効果を得ることができない。
【０００７】
本発明は、かかる課題を解決することを目的とするものであって、給水栓の使用感、すなわち、給水栓を一々調節することなく、その排水量を抑制して節水できると共に、排水の勢いをも抑制して、使用者が優しい感触の排水を得ることのできる節水コマ構造を提供するものである。
【課題を解決するための手段】
【０００８】
前記目的を達成するため、本発明に係る節水コマ構造においては、水を排出する蛇口等に装着可能な取付カバーと、この取付カバーの内部に嵌挿される節水コマと、この蛇口等から水漏れを防止するための水密用パッキングとを備えた節水コマ構造において、前記節水コマの中央適所には、水道管から噴出された水が直接当たる塞がれた緩衝部を形成すると共に、この緩衝部の周囲に、当該緩衝部に当たって緩衝された緩衝水が排水される排水孔を形成したことを特徴とするものである。
【０００９】
本発明では、水道管内を通って噴出された水が、先ず緩衝部に直接当たって、その水流或いは水圧を減少させて緩衝させた後、その緩衝水が当該緩衝部の周囲における排水孔から排水される構造にしている。
【００１０】
そのため、本発明では、給水栓の使用感、すなわち、給水栓を一々調節することなく、その排水量を抑制して節水できると共に、水道管内を通って蛇口等から噴出された勢いのある水を、緩衝部に直接当てて、その水の流れを一旦堰き止め、行き場を失った水が排水孔から整流となって排水されるようにしているので、前記排水孔から排水される緩衝水は、その勢いが抑制されて排水される結果、例えば、トイレの貯水槽に給水する蛇口に設ければ、前記緩衝水が飛散することなく、つまりトイレの周囲を汚損することなく、スムーズに貯水槽に給水できるのである。
【００１１】
同時に、前記緩衝部に当たって跳ね返った水は、この緩衝部上の空間部分で攪拌されて空気が含まれることとなり、排水孔から排水される緩衝水は、前記蛇口等から噴出された水の勢いを抑制すると共に、空気を含んだソフトな状態で排水される。
【００１２】
そのため、前記緩衝水は、直接肌に当たっても優しいうえ、見た目も綺麗であり、特に、乳幼児や女性等のような皮膚の柔らかい使用者にとっては、皮膚に対する刺激を極力抑えることができるのである。
【００１３】
なお、本発明の節水コマ構造においては、従来の節水コマが使用可能な場所であれば、水道管の分岐部分のような場所であっても同様に使用可能であるが、蛇口の先端部やシャワーヘッドとホースとの連結部等のように、できる限り排水口に近い部位に装着する方が効果的である。
【００１４】
本発明の節水コマ構造において、節水コマの形状としては特に限定されるものではないが、一般に、上下の厚さが２〜１５ｍｍの範囲、特に、３〜１０ｍｍの範囲とするのが好ましく、最も好ましくは４〜６ｍｍの範囲とするのが望ましく、又、排水孔の大きさとしては、一般に、０．１〜２ｍｍの範囲、特に、０．２〜１．５ｍｍの範囲とするのが好ましいのであり、更に、その材質としては耐食性の材料で形成されたものであれば特に限定されるものではなく、具体的には、例えばステンレスや真鍮等の耐食性の金属材料、スチレンーブタジエンゴム等の合成ゴムやポリ塩化ビニル、ポリエステル又はポリプロピレン等の合成樹脂、セラミックス等が挙げられる。
【００１５】
又、本発明の節水コマ構造においては、蛇口等から水漏れを防止するための水密用パッキングを備えているが、この水密用パッキングとしては蛇口等から水漏れを防止し得るものであれば特に限定されるものではないが、具体的には、例えば節水コマと蛇口等との間に介在される水密用ゴムリングが、至極廉価で、取り扱い易く、しかも優れた水密性が得られるので望ましい。
【００１６】
更に、本発明で形成される排水孔の径や数は、節水コマの径や厚み、蛇口の大きさ等を考慮したうえで最適に形成すれば良いのであり、又、少なくとも１以上の排水孔を形成すれば良いのであるが、その反面、前記排水孔が少なければ、排水される緩衝水の排水量が少量過ぎるため、前記排水孔は複数形成するのが好ましい。
【００１７】
具体的には、本発明において、節水コマの中央適所には、水道管から噴出された水が直接当たる緩衝部を形成しているので、排水孔は、前記緩衝部の周囲に複数形成すれば良く、例えば、前記節水コマが、円柱状のものである場合には、その中央部に緩衝部を設けると共に、この緩衝部の外周部に同心円状に、前記複数の排水孔を間隔をあけて１重〜３重程度形成すれば良いのである。
【００１８】
また、本発明において、前記緩衝部は、水道管から噴出された水が直接当たる位置に形成されていれば良いのであるが、この緩衝部の位置と、排水孔の位置とを変位させ、前記緩衝部の位置を水道管側に近い位置に突設しておけば、水道管から噴出された水を緩衝部に確実に当てることができるので望ましい。
【００１９】
更に、本発明において、緩衝部は、水道管から噴出された水が当たる面を、窪んだ凹部に形成しても良く、このような凹部に当たった前記水は、緩衝部の中心に向けて飛散されるので、前記水道管から噴出される水に衝突して、その水の勢いを一層緩めることができるのであり、一層優しい緩衝水を排水できる。
【００２０】
更に又、本発明において、緩衝部は、水道管から噴出された水が当たる面を、凹凸部に形成しても良く、この凹凸部に当たった水は、緩衝部の上部で不規則に飛散されるので、前記水道管から噴出される水に衝突して、その水の勢いを緩めることができるのであり、一層優しい緩衝水を排水できるのである。
【発明の効果】
【００２１】
本発明に係る節水コマ構造においては、次のような効果がある。
請求項１に係る節水コマ構造によれば、給水栓の使用感、すなわち、給水栓を一々調節することなく、その排水量を抑制して節水できると共に、排水孔から排水される緩衝水は、その勢いを抑制して排水されるので、使用者の肌に当たっても飛散し難く、特に、乳幼児や女性等のような皮膚の柔らかい使用者にとっては、皮膚に対する刺激を抑えることができるなどの効果を奏するのである。
【００２２】
また、請求項２に係る節水コマ構造によれば、水密用パッキングがゴムリングであるので、至極廉価で、取り扱い易く、しかも優れた水密性が得られるなどの効果を奏するのである。
【００２３】
更に、請求項３に係る節水コマ構造によれば、排水孔は、複数形成され、これら複数の排水孔が、緩衝部の外周部に同心円状に形成されているので、所望の排水量を得ることができるうえ、排水孔から均一に緩衝水を排水できるなどの効果を奏するのである。
【００２４】
請求項４に係る節水コマ構造によれば、緩衝部は、排水孔の位置よりも水道管側に近い位置に突設されているので、水道管から噴出された水を緩衝部に確実に当てることができるなどの効果を奏するのである。
【００２５】
請求項５に係る節水コマ構造によれば、緩衝部は、窪んだ凹部に形成されているので、この凹部に当たった水が、緩衝部の中心に向けて飛散され、水道管から噴出される水に衝突して、その水の勢いを緩めることができる結果、一層優しい緩衝水を排水できるなどの効果を奏するのである。
【００２６】
請求項６に係る節水コマ構造によれば、緩衝部には、凹凸部を形成しているので、この凹凸部に当たった水が、緩衝部の上部で不規則に飛散され、水道管から噴出される水に衝突して、その水の勢いを緩めることができる結果、一層優しい緩衝水を排水できるなどの効果を奏するのである。
【発明を実施するための最良の形態】
【００２７】
以下、本発明に係る節水コマ構造を実施例図面に基づいて詳細に説明するが、本発明はこれに限定されるものではない。
【実施例１】
【００２８】
図１は、本発明に係る節水コマ構造Ａの一実施例を示す使用状態の斜視図であり、図２は、図１の点線枠で囲んだ要部を拡大した分解斜視図、図３は、その組立状態を示す縦断面図である。
【００２９】
ここで、各図において、共通する部材には、同一の番号を付し、重複する説明は省略する。
【００３０】
この節水コマ構造Ａは、水を排出する蛇口Ｈ等に装着可能な取付カバー１と、この取付カバー１の内部に嵌挿される節水コマ２と、この節水コマ２と蛇口Ｈ等との間に介在されるゴムリング（水密用パッキング）３とを備え、節水コマ２の中央適所には、水道管から噴出された水が直接当たる塞がれた緩衝部４を形成すると共に、この緩衝部４の周囲に、当該緩衝部４に当たって緩衝された緩衝水Ｗが排水される排水孔５を形成してなる。
【００３１】
蛇口Ｈの先端部には、ネジ部Ｈ１が形成されており、また取付カバー１の上端部内壁には、このネジ部Ｈ１に螺合可能なネジ溝１１を形成している。
【００３２】
なお、蛇口Ｈの先端部にネジ部Ｈ１が形成されていない場合には、取付カバー１の上端部側壁に貫通されたネジ孔（図示せず。）を開設しておき、このネジ孔（図示せず。）に向けて外側から取付ネジ（図示せず。）を螺入して蛇口Ｈの先端部外壁に押圧すれば、取付カバー１を蛇口Ｈの先端部に取り付けることができる。
【００３３】
また、本実施例の取付カバー１は、円筒状に形成されているが、その形状は特に限定されるものではなく、蛇口Ｈ等のデザインに応じて適宜形成することができる。
【００３４】
更に、前記取付カバー１の内側壁適所には、節水コマ２の上端に形成された鍔２１が係止可能な係止段部１２を形成している。
【００３５】
前記節水コマ２は、取付カバー１に内嵌される中実の円柱状に形成され、その中央部には、水道管から噴出された水が直接当たる緩衝部４を形成している。
【００３６】
図１〜図３で示した緩衝部４は、節水コマ２における中央部に上下方向の貫通孔が開設されていない塞がれた部位に形成することで、この緩衝部４から排水されないようにしたものを例示している。
【００３７】
この緩衝部４の周囲には、上下に貫通する排水孔５を複数形成し、この排水孔５を通じて、緩衝部４に当たって緩衝された緩衝水Ｗが排水される。
【００３８】
本実施例の排水孔５は、複数形成され、これら複数の各排水孔５が、緩衝部４の外周部に同心円状に形成されており、複数の各排水孔５が所定の間隔を隔てて２重に形成したものを示しているが、この排水孔５の数や径は、排水される緩衝水の排水量に応じて適宜増減される。
【００３９】
このような同心円状に排水孔５を形成することで、所望の排水量を得ることができるうえ、排水孔５から排水される緩衝水Ｗを均一に排水できるのである。
【００４０】
この節水コマ２の上端縁には、排水孔５を塞がない円形のゴムリング（水密用パッキング）３を載置しており、取付カバー１のネジ溝１１を蛇口Ｈのネジ部Ｈ１に螺合した際に、ゴムリング３が節水コマ２と蛇口Ｈとの間に介在されて、隙間からの水漏れを防止している。
【００４１】
なお、ゴムリング３は、節水コマ２と取付カバー１更に蛇口Ｈとの隙間からの水漏れ防止を行えば良いので、このゴムリング３に代えてシーリング材を充填したり、水密用テープを巻着しても良いのである。
【００４２】
このように構成された本発明の節水コマ構造Ａでは、水道管内を通って噴出された水が、緩衝部４に直接当たって、その水流或いは水圧が一旦減少されて緩衝され、この緩衝された後の緩衝水Ｗが、排水孔５から排水される構造に形成されている。
【００４３】
そのため、本発明によれば、給水栓Ｈ２の使用感、すなわち、給水栓Ｈ２を一々調節することなく、その排水量を抑制して節水できると共に、水道管内を通って蛇口等から噴出された勢いのある水を、緩衝部４に直接当てて、その水の流れを一旦堰き止め、行き場を失った水が排水孔５から整流となって排水されるようにしているので、排水孔５から排水される緩衝水Ｗは、その勢いを抑制されて排水され、例えば、トイレの貯水槽に給水する蛇口Ｈ等に設ければ、前記緩衝水Ｗが飛散することなく、つまりトイレの周囲に緩衝水Ｗが飛散して汚損することなく、スムーズに貯水槽に給水できるのである。
【００４４】
同時に、緩衝部４に当たって跳ね返った水は、この緩衝部４上の空間部分で攪拌されて空気が含まれることとなり、排水孔５から排水される緩衝水Ｗは、水道管内を通って蛇口等から噴出された水の勢いを抑制すると共に、空気を含んだソフトな状態で排水される。
【００４５】
そのため、緩衝水Ｗは、直接肌に当たっても優しいうえ、見た目も綺麗であり、特に、乳幼児や女性等のような皮膚の柔らかい使用者にとっては、皮膚に対する刺激を抑えることができるのである。
【実施例２】
【００４６】
図４（ａ）〜（ｄ）は、本発明で好適に用いられる節水コマ２の他の実施例を示す縦断面図である。
【００４７】
ここで、図１〜図３と共通する部位は、同一番号を付し、重複する説明は省略することとし、以下では、各実施例の特徴についてのみ説明する。
【００４８】
図４（ａ）で示す節水コマ２においては、円形の緩衝部４の外周部に、複数の排水孔５が間隔をあけて１重に形成されたものを示しており、このような１重の排水孔５を形成すれば、排水される緩衝水Ｗを更に節水することができる。
【００４９】
また、図４（ｂ）で示す節水コマ２においては、緩衝部４を上方に突設して形成し、この緩衝部４が、排水孔５の位置よりも水道管側に近い位置に設定されるように形成したものを示しており、このように緩衝部４を排水孔５よりも水道管近い位置に形成することによって、水道管から噴出された水を緩衝部４に確実に当てて、その水の流れを確実に堰き止めることができるのである。
【００５０】
図４（ｃ）で示す節水コマ２においては、緩衝部４が半球状に窪んだ凹部に形成されたものを示しており、このような緩衝部４では、凹部に当たった水が、緩衝部４の中心上方に向けて跳ね返って飛散されて、水道管から噴出される水に逆流して衝突するので、その水の勢いを一層緩めることができると共に、緩衝部４上の空間部分で攪拌されて空気が含まれることとなる結果、より優しい緩衝水Ｗを排水できるのである。
【００５１】
更に、図４（ｄ）で示す節水コマ２においては、緩衝部４が連続する凹凸部に形成したものを示しており、このような緩衝部４では、凹凸部に当たった水が、緩衝部４の上部で不規則に飛散されるので、水道管から噴出される水に様々な方向から衝突して、その水の勢いを緩めることができると共に、緩衝部４上の空間部分で攪拌されて空気が含まれることとなる結果、一層優しい緩衝水Ｗを排水できるのである。
【図面の簡単な説明】
【００５２】
【図１】図１は、本発明に係る節水コマ構造の一実施例を示す使用状態の斜視図である。
【図２】図２は、図１の点線枠で囲んだ要部を拡大した分解斜視図である。
【図３】図３は、その組立状態を示す縦断面図である。
【図４】図４において、（ａ）図は、本発明で好適に用いられる節水コマの他の実施例を示す縦断面図である。  図４において、（ｂ）図は、本発明で好適に用いられる節水コマの更に他の実施例を示す縦断面図である。  図４において、（ｃ）図は、本発明で好適に用いられる節水コマの更に他の実施例を示す縦断面図である。  図４において、（ｄ）図は、本発明で好適に用いられる節水コマの更に他の実施例を示す縦断面図である。
【符号の説明】
【００５３】
Ａ      節水コマ構造
Ｗ      緩衝水
１      取付カバー
２      節水コマ
３      ゴムリング（水密用パッキング）
４      緩衝部
５      排水孔
【図１】
2007162400.tif 000003
【図２】
2007162400.tif 000004
【図３】
2007162400.tif 000005
【図４】
2007162400.tif 000006